(57)【特許請求の範囲】
【請求項１】
複数の記録媒体のうちのいずれかに動画像データを記録する記録手段と、
前記複数の記録媒体のうちの一の記録媒体への前記動画像データの記録中に、前記一の記録媒体への前記動画像データの記録を継続するか否かを判定する制御手段と
を有し、
前記制御手段は、前記一の記録媒体の温度に対応した記録速度の上限を示す管理データと、前記一の記録媒体の温度を示す情報とに基づいて前記一の記録媒体の前記記録速度の上限を判定し、前記一の記録媒体の前記記録速度の上限が所定の記録速度未満である場合には、前記一の記録媒体への前記動画像データの記録を継続せず、前記複数の記録媒体のうちの前記一の記録媒体とは異なる他の記録媒体の温度に対応した記録速度の上限を示す管理データと前記他の記録媒体の温度とに基づいて、前記他の記録媒体の前記記録速度の上限を更に判定し、前記他の記録媒体の前記記録速度の上限が前記所定の記録速度以上である場合に、前記他の記録媒体に前記動画像データの記録先を切り替えることを特徴とする画像記録装置。
【請求項２】
複数の記録媒体のうちのいずれかに動画像データを記録する記録手段と、
前記複数の記録媒体のうちの一の記録媒体への前記動画像データの記録中に、前記一の記録媒体への前記動画像データの記録を継続するか否かを判定する制御手段と、
を有し、
前記制御手段は、前記一の記録媒体の温度に対応した記録速度の上限を示す管理データと前記一の記録媒体の温度を示す情報に基づいて前記一の記録媒体の前記記録速度の上限を判定し、前記一の記録媒体の前記記録速度の上限が所定の記録速度未満である場合には、前記一の記録媒体への前記動画像データの記録を継続せず、前記複数の記録媒体のうちの前記一の記録媒体とは異なる他の記録媒体の温度に対応した記録速度の上限を示す管理データと前記他の記録媒体の温度とに基づいて、前記他の記録媒体の前記記録速度の上限を更に判定し、複数の前記他の記録媒体のうちの前記記録速度の上限が最も高い記録媒体に前記動画像データの記録先を切り替えることを特徴とする画像記録装置。
【請求項３】
前記所定の記録速度は、複数の記録モードのうちから選択される記録モードに応じた記録速度であることを特徴とする請求項１又は２に記載の画像記録装置。
【請求項４】
複数の記録媒体のうちのいずれかに動画像データを記録する記録手段と、
前記複数の記録媒体のうちの一の記録媒体への前記動画像データの記録中に、前記一の記録媒体への前記動画像データの記録を継続するか否かを判定する制御手段と、
を有し、
前記制御手段は、前記一の記録媒体の温度に対応した記録速度の上限を示す管理データと前記一の記録媒体の温度を示す情報に基づいて前記一の記録媒体の前記記録速度の上限を判定し、前記一の記録媒体の前記記録速度の上限が所定の記録速度未満である場合には、前記一の記録媒体への前記動画像データの記録を継続せず、前記複数の記録媒体のうちの前記一の記録媒体とは異なる他の記録媒体に前記動画像データの記録先を切り替え、
前記所定の記録速度は、複数の記録モードのうちから選択される記録モードに応じた記録速度であることを特徴とする画像記録装置。
【請求項５】
予め前記管理データを保持する保持手段を備え、前記制御手段は、前記保持手段に保持された前記管理データと前記所定の情報とに基づいて前記一の記録媒体への前記動画像データの記録を継続するか否かを判定することを特徴とする請求項１ないし４のいずれか１項に記載の画像記録装置。
【請求項６】
前記制御手段は、前記管理データを前記複数の記録媒体から取得することを特徴とする請求項１ないし４のいずれか１項に記載の画像記録装置。
【請求項７】
前記所定の情報は、前記一の記録媒体の内部の温度を示す情報である
ことを特徴とする請求項１から６のいずれか１項に記載の画像記録装置。
【請求項８】
前記制御手段は、前記一の記録媒体に対する前記動画像データの記録中に、前記一の記録媒体の温度を示す情報を前記一の記録媒体から取得することを特徴とする請求項１から７のいずれか１項に記載の画像記録装置。
【請求項９】
複数の記録媒体のうちのいずれかに動画像データを記録するステップと、
前記複数の記録媒体のうちの一の記録媒体への前記動画像データの記録中に、前記一の記録媒体への前記動画像データの記録を継続するか否かを判定するステップと、
を有し、
前記判定するステップは、前記一の記録媒体の温度に対応した記録速度の上限を示す管理データと前記一の記録媒体の温度を示す情報とに基づいて前記一の記録媒体の前記記録速度の上限を判定し、前記一の記録媒体の前記記録速度の上限が所定の記録速度未満である場合には、前記一の記録媒体への前記動画像データの記録を継続せず、前記複数の記録媒体のうちの前記一の記録媒体とは異なる他の記録媒体の温度に対応した記録速度の上限を示す管理データと前記他の記録媒体の温度とに基づいて、前記他の記録媒体の前記記録速度の上限を更に判定し、前記他の記録媒体の前記記録速度の上限が前記所定の記録速度以上である場合に、前記他の記録媒体に前記動画像データの記録先を切り替えることを特徴とする画像記録方法。
【請求項１０】
複数の記録媒体のうちのいずれかに動画像データを記録するステップと、
前記複数の記録媒体のうちの一の記録媒体への前記動画像データの記録中に、前記一の記録媒体への前記動画像データの記録を継続するか否かを判定するステップと、
を有し、
前記判定するステップは、前記一の記録媒体の温度に対応した記録速度の上限を示す管理データと前記一の記録媒体の温度を示す情報とに基づいて前記一の記録媒体の前記記録速度の上限を判定し、前記一の記録媒体の前記記録速度の上限が所定の記録速度未満である場合には、前記一の記録媒体への前記動画像データの記録を継続せず、前記複数の記録媒体のうちの前記一の記録媒体とは異なる他の記録媒体の温度に対応した記録速度の上限を示す管理データと前記他の記録媒体の温度とに基づいて、前記他の記録媒体の前記記録速度の上限を更に判定し、複数の前記他の記録媒体のうちの前記記録速度の上限が最も高い記録媒体に前記動画像データの記録先を切り替える
ことを特徴とする画像記録方法。
【請求項１１】
複数の記録媒体のうちのいずれかに動画像データを記録するステップと、
前記複数の記録媒体のうちの一の記録媒体への前記動画像データの記録中に、前記一の記録媒体への前記動画像データの記録を継続するか否かを判定するステップと、
を有し、
前記判定するステップは、前記一の記録媒体の温度に対応した記録速度の上限を示す管理データと前記一の記録媒体の温度を示す情報とに基づいて前記一の記録媒体の前記記録速度の上限を判定し、前記一の記録媒体の前記記録速度の上限が所定の記録速度未満である場合には、前記一の記録媒体への前記動画像データの記録を継続せず、前記複数の記録媒体のうちの前記一の記録媒体とは異なる他の記録媒体に前記動画像データの記録先を切り替え、
前記所定の記録速度は、複数の記録モードのうちから選択される記録モードに応じた記録速度である
ことを特徴とする画像記録方法。
【請求項１２】
コンピュータに、請求項９乃至１１のいずれか１項に記載の画像記録方法の各ステップを実行させるためのプログラム。
【発明の詳細な説明】
【技術分野】
【０００１】
本発明は、画像記録装置及び画像記録方法に関する。
【背景技術】
【０００２】
従来、メモリカード等の記録媒体に動画像データを記録する画像記録装置が知られている。また、記録媒体の周辺温度を検出し、当該周辺温度が記録媒体の耐熱温度を超えた場合に当該記録媒体への記録を禁止する装置も提案されている（特許文献１参照）。
【先行技術文献】
【特許文献】
【０００３】
【特許文献１】特開２００１−１６９１６２号公報
【発明の概要】
【発明が解決しようとする課題】
【０００４】
しかしながら、従来は、動画像データの記録中に記録媒体の温度が過度に上昇した場合には、所望の時点までの動画像を得ることができなかった。
【０００５】
本発明の目的は、記録媒体の温度が上昇した場合であっても動画像データを確実に記録し得る画像記録装置及び画像記録方法を提供することにある。
【課題を解決するための手段】
【０００６】
実施形態の一観点によれば、複数の記録媒体のうちのいずれかに動画像データを記録する記録手段と、前記複数の記録媒体のうちの一の記録媒体への前記動画像データの記録中に、前記一の記録媒体への前記動画像データの記録を継続するか否かを、前記一の記録媒体の温度に応じた所定の情報に基づいて判定し、前記一の記録媒体への前記動画像データの記録を継続しないと判定した場合には、前記複数の記録媒体のうちの前記一の記録媒体とは異なる他の記録媒体に前記動画像データの記録先を切り替える制御手段とを有することを特徴とする画像記録装置が提供される。
【発明の効果】
【０００７】
本発明によれば、複数の記録媒体のうちの一の記録媒体への動画像データの記録中に、当該一の記録媒体への動画像データの記録を継続するか否かを、当該一の記録媒体の温度に応じた所定の情報に基づいて判定する。そして、当該一の記録媒体への動画像データの記録を継続しないと判定した場合には、当該一の記録媒体とは異なる他の記録媒体に動画像データの記録先を切り替える。このため、本発明によれば、動画像データを確実に記録し得る画像記録装置及び画像記録方法を提供することができる。
【図面の簡単な説明】
【０００８】
【図１】第１実施形態による画像記録装置の構成を示すブロック図である。
【図２】各々の記録媒体における温度と記録可能レートとの関係を示す管理データを示す図である。
【図３】第１実施形態による画像記録装置の動作を示すフローチャートである。
【図４】第１実施形態による画像記録装置によって記録される動画像ファイルの例を示す図である。
【図５】第１の付加情報の例を示す図である。
【図６】第２の付加情報の例を示す図である。
【図７】リレー記録が行われた場合に各々の動画像ファイルに記録されるフレームと、各々のフレームのタイムコードとを示す図である。
【図８】第１実施形態による画像処理装置の構成を示すブロック図である。
【図９】画像処理装置によって行われる動画像ファイルの結合処理を示すフローチャートである。
【図１０】画像処理装置によって行われる動画像ファイルの結合処理を示すフローチャートである。
【図１１】第２実施形態による画像記録装置の構成を示すブロック図である。
【図１２】第２実施形態による画像記録装置の動作を示すフローチャートである。
【図１３】記録媒体における温度と記録可能レートとの関係を示す管理データを示す図である。
【発明を実施するための形態】
【０００９】
以下、本発明の実施の形態について図面を参照しながら説明する。なお、本発明は以下の実施形態に限定されるものではなく、その要旨を逸脱しない範囲において適宜変更可能である。また、以下で説明する図面において、同じ機能を有するものは同一の符号を付し、その説明を省略又は簡潔にすることもある。
【００１０】
［第１実施形態］
第１実施形態による画像記録装置について図１乃至図３を用いて説明する。図１は、本実施形態による画像記録装置の構成を示すブロック図である。本実施形態では、画像記録装置１００が撮像部１０９を有している場合、即ち、画像記録装置１００が撮像装置である場合を例に説明するが、これに限定されるものではない。例えば、画像記録装置１００が撮像部１０９を有していなくてもよい。この場合、撮像部１０９及びレンズ１１０の代わりに設けられる入力部（図示せず）を介して動画像データが画像記録装置１００に入力される。また、ここでは、画像記録装置１００が表示部１０７を有している場合を例に説明するが、画像記録装置１００が表示部１０７を有していなくてもよい。
【００１１】
主制御部１０１は、画像記録装置（画像処理装置）１００の全体の制御を司るものであり、ＣＰＵ（Ｃｅｎｔｒａｌ  Ｐｒｏｃｅｓｓｉｎｇ  Ｕｎｉｔ）である。主制御部１０１は、ＲＯＭ（Ｒｅａｄ  Ｏｎｌｙ  Ｍｅｍｏｒｙ）１１３に記憶されたプログラムや、ＲＡＭ（Ｒａｎｄｏｍ  Ａｃｃｅｓｓ  Ｍｅｍｏｒｙ）１１４に記憶された情報、操作部１０６からの情報等に従って各部を制御する。主制御部１０１は、機能ブロックとして、記録制御部１０２と、記録媒体選択部１０３と、動画像管理情報生成部１０４と、記録媒体情報管理部１０５とを有している。記録制御部１０２と、記録媒体制御部１１５，１１７とが相俟って、複数の記録媒体１１６、１１８のうちのいずれかに動画像データ（動画像ファイル）を記録する記録手段として機能する。記録制御部１０２、記録媒体選択部１０３、動画像管理情報生成部１０４、及び、記録媒体情報管理部１０５は、例えば、主制御部１０１の各機能ブロックである。主制御部１０１、信号処理部１１１、圧縮伸長部１１２、記録媒体制御部１１５、１１７、及び、表示制御部１０８は、処理部１２０の各機能ブロックである。処理部１２０は、例えばＣＰＵ（Ｃｅｎｔｒｏｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等のプロセッサーによって構成され得る。なお、処理部１２０は、複数のプロセッサーによって構成されていてもよい。
【００１２】
操作部１０６は、各種操作を入力するためのものであり、例えば、ボタン、スイッチ等を含む。ボタンとしては、電源ボタン、記録開始の指示ボタン、記録停止のための指示ボタン、メニュー表示ボタン、決定ボタン等が挙げられる。スイッチとしては、モード切り替えスイッチ等が挙げられる。操作部１０６は、ユーザによって操作部１０６が操作されると、操作内容に応じた操作信号を主制御部１０１に送信する。また、カーソルキー、ポインティングデバイス、タッチパネル、ダイヤル等のあらゆるタイプの操作子を、操作部１０６に用いることができる。操作部１０６の各操作部材は、表示部１０７に表示される種々の機能アイコンによって実現することも可能である。ユーザは、これらの機能アイコンを適宜選択することによって、操作を行うことが可能である。
【００１３】
表示部１０７としては、例えば液晶表示装置が用いられている。表示部１０７は、表示制御部１０８による制御によって、画像、メニュー画面、その他必用な情報を適宜表示する。表示制御部１０８は、表示部１０７に表示する画像のデータを表示部１０７に送信するとともに、表示部１０７のバックライトの発光量を制御する。
【００１４】
レンズ１１０は、集光のための固定レンズ群と、変倍レンズ群と、絞りとを含むレンズユニットである。レンズ１１０は、変倍レンズ群の移動によって変位した結像位置を補正する機能と、焦点調節を行う機能とを兼ね備えた補正レンズ群を更に含んでいる。
【００１５】
撮像部（撮像素子）１０９には、光電変換を行うことにより、レンズ１１０によって撮像面に結像される光学像から画像信号（画像データ）を生成する。撮像部１０９は、例えば、１９２０画素×１０８０画素の静止画像データを取得することが可能である。また、撮像部１０９は、１９２０画素×１０８０画素、６０フレーム毎秒の動画像データを取得することも可能である。
【００１６】
信号処理部（画像処理部）１１１は、撮像部１０９から送られてくる画像データに適したホワイトバランスのゲイン値を算出し、算出したゲイン値を当該画像データに乗算する。この後、ＹＣｂＣｒ信号に変換する処理が画像データに対して行われ、ＹＣｂＣｒ信号に変換された画像データがＲＡＭ１１４に出力される。また、信号処理部１１１は、撮像部１０９から送られてくる動画像データの各フレームを、ユーザが予め設定した画素数に応じた画像データに変換して順次出力する。
【００１７】
圧縮伸長部（ＣＯＤＥＣ）１１２は、ＲＡＭ１１４から送られてくる動画像データをＭＰＥＧ方式等の公知の符号化方法によって圧縮し、圧縮した動画像データをＲＡＭ１１４に出力する。また、圧縮伸長部１１２は、ＭＰＥＧ方式等によって圧縮された動画像データを伸長する機能（デコード機能）をも備えている。また、圧縮伸長部１１２は、ユーザにより予め設定された動画像データの転送レートに応じて、動画像データのデータ転送レートを変更する機能をも備えている。
【００１８】
ＲＯＭ１１３は、不揮発性メモリであり、例えばフラッシュＲＯＭ等が用いられている。ＲＯＭ１１３には、主制御部１０１によって実行されるプログラム等が格納されている。また、ＲＯＭ１１３の一部の領域は、例えばバックアップ用に用いられ、システムの状態等が保持される。ＲＡＭ１１４は、揮発性メモリである。主制御部１０１、信号処理部１１１、及び、圧縮伸長部１１２等が、ＲＡＭ１１４をワークメモリとして使用する。
【００１９】
記録媒体制御部１１５は、例えばＳＡＴＡコントローラである。記録媒体制御部１１５は、ＲＡＭ１１４に格納された動画像データ等を、ｅｘＦＡＴファイルシステム等のコンピュータと互換性のあるフォーマットに従って、記録媒体１１６に記録する。記録媒体１１６は、画像記録装置１００に対して着脱可能な記録媒体であり、ＰＣ等に装着することも可能である。記録媒体１１６としては、例えばメモリカード等が挙げられる。記録媒体制御部１１７は、記録媒体制御部１１５と同様の機能を有しており、記録媒体１１８に動画像データ等を記録する。バスライン１１９は、各機能ブロックを接続する。各機能ブロックは、バスライン１１９を介してデータの受け渡しを行う。
【００２０】
図２は、各々の記録媒体における温度と、各温度に対応した記録可能レートとを示す管理データを示す図である。図２（ａ）は、記録媒体１１６における、温度と、各温度に対応した記録可能レートを示す管理データ（テーブル）２０１を示している。図２（ｂ）は、記録媒体１１８における、温度と、各温度に対応した記録可能レートを示す管理データ２０２を示している。
【００２１】
各々の記録媒体１１６，１１８の温度（内部温度）に対応する記録速度の上限、即ち、記録可能レートが、記録媒体１１６、１１８の種別毎に予め定められている。記録媒体情報管理部１０５は、記録媒体１１６，１１８における温度と記録可能レートとの対応を示す管理データ２０１，２０２を、記録媒体１１６，１１８の種別毎に保持している。記録媒体情報管理部１０５は、管理データ２０１，２０２を保持する保持手段として機能する。記録媒体情報管理部１０５は、画像記録装置１００に装着された記録媒体１１６，１１８の種別を検出し、検出結果に基づいて当該記録媒体１１６，１１８用の管理データ２０１，２０２を決定する。
【００２２】
なお、ここでは、管理データ２０１，２０２が記録媒体情報管理部１０５に保持されている場合を例に説明したが、これに限定されるものではない。例えば、記録媒体１１６，１１８の内部に、上記のような管理データ２０１，２０２が保持されていてもよい。この場合、記録媒体１１６，１１８が、管理データ２０１，２０２を保持する保持手段として機能する。この場合、記録媒体１１６，１１８の内部に格納されている管理データ２０１，２０２が、例えば記録媒体情報管理部１０５等によって適宜読み出される。
【００２３】
記録媒体情報管理部１０５は、各々の記録媒体１１６，１１８の温度情報（所定の情報、内部温度情報）を取得する。記録媒体１１６、１１８は、当該記録媒体１１６，１１８の内部の温度についての情報、即ち、温度情報を生成する温度情報生成部（情報生成部）１１６ａ、１１８ａをそれぞれ備えている。温度情報生成部１１６ａ、１１８ａとしては、例えば温度センサＩＣ（半導体温度センサ）等を用いることができる。温度センサＩＣ（Ｉｎｔｅｇｒａｔｅｄ  Ｃｉｒｃｕｉｔ）は、温度を測定し、測定結果に基づいた例えばデジタルの温度情報を出力する。記録媒体情報管理部１０５は、記録媒体制御部１１５を介して記録媒体１１６の温度情報を取得し、記録媒体制御部１１７を介して記録媒体１１８の温度情報を取得する。なお、温度情報を生成し得る記録媒体１１６，１１８としては、例えば、Ｓ．Ｍ．Ａ．Ｒ．Ｔ．（Ｓｅｌｆ−Ｍｏｎｉｔｏｒｉｎｇ  Ａｎａｌｙｓｉｓ  ａｎｄ  Ｒｅｐｏｒｔｉｎｇ  Ｔｅｃｈｎｏｌｏｇｙ）機能が搭載されている記録媒体等が知られている。記録媒体１１６，１１８は、Ｓ．Ｍ．Ａ．Ｒ．Ｔ．機能が搭載されている記録媒体に限定されるものではない。温度情報の生成が可能な様々な記録媒体を、記録媒体１１６，１１８として適宜用いることができる。
【００２４】
ユーザが操作部１０６を操作することによって画像記録装置１００の電源をオン状態に設定すると、主制御部１０１は、撮像部１０９の制御を開始する。主制御部１０１は、撮像部１０９によって取得される画像を表示部１０７に表示するとともに、画像記録装置１００を記録待機状態に設定する。記録待機状態においては、ユーザは、操作部１０６を操作することによって、動画像データの記録先となる記録媒体を２つの記録媒体１１６、１１８のうちのいずれかから選択し得る。記録媒体選択部１０３は、ユーザによって選択された記録媒体を、動画像データの記録先として選択する。ユーザは、操作部１０６を操作することによって、記録媒体１１６，１１８に記録される動画像データの画素数（画面サイズ）、フレームレート、データ転送レート等を適宜設定し得る。
【００２５】
ユーザが操作部１０６を操作することによって記録開始の指示をした場合には、主制御部１０１は、画像記録装置１００の各部を制御することによって、動画像データの記録を開始する。具体的には、撮像部１０９によって得られる動画像データが圧縮伸長部１１２によって圧縮され、記録先として予め選択された記録媒体に動画像データが記録される。この際、主制御部１０１は、ユーザによって設定されたフレームレートの動画像データが出力されるように、撮像部１０９を制御する。また、主制御部１０１は、ユーザによって設定された画素数の動画像データが出力されるように、信号処理部１１１を制御する。また、主制御部１０１は、予め設定された転送レートで動画像データが出力されるように圧縮伸長部１１２を制御する。
【００２６】
ある記録媒体への動画像データの記録中に、当該記録媒体の温度が上昇することによって、必要な記録レートが確保できなくなった場合には、記録媒体選択部１０３は、動画像データの記録先を別の記録媒体に自動的に変更する。ユーザが操作部１０６を操作することによって記録停止の指示をした場合には、主制御部１０１は、記録媒体への動画像データの記録を停止する。
【００２７】
図３は、本実施形態による画像記録装置の動作を示すフローチャートである。
まず、ステップＳ３０１では、記録媒体１１６，１１８のうちのいずれかが、動画像データの記録先としてユーザによって選択される。ここでは、記録媒体１１６が動画像データの記録先としてユーザによって選択された場合を例に説明する。記録媒体選択部１０３は、ユーザによる選択に基づいて、記録媒体１１６を動画像データの記録先として選択する。ステップＳ３０２では、ユーザにより予め設定された記録モードに応じて動画像データを記録媒体１１６に記録する。ここでは、記録媒体１１６に記録される動画像の画素数と、フレームレートと、データ転送レートとの組み合わせを記録モードと称することとする。データ転送レート（記録速度）の異なる複数の記録モードが存在しており、これら複数の記録モードのうちからいずれかの記録モードがユーザによって選択される。選択された記録モードに応じた所定の転送レート（所定の記録速度）で動画像が記録媒体１１６に記録されることとなる。ここでは、動画像データの転送レートが、例えば１００メガバイト毎秒（ＭＢ／ｓ）に設定された場合を例に説明する。動画像データの記録中には、動画像データの管理情報が動画像管理情報生成部１０４によって生成され、生成された管理情報が記録媒体１１６に記録される。
【００２８】
ステップＳ３０３では、記録先として選択された記録媒体１１６の温度情報が記録媒体情報管理部１０５によって取得される。ステップＳ３０４では、記録媒体１１６の温度情報に対応する記録媒体１１６の記録可能レートが、管理データ２０１に基づいて、記録媒体情報管理部１０５によって検出される。例えば、記録媒体１１６の内部温度が８９℃である場合、図２（ａ）から分かるように、記録媒体１１６の記録可能レートは８０ＭＢ／ｓである。記録媒体情報管理部１０５は、記録媒体における温度に対応する記録可能レートを示す管理データと、記録媒体の温度情報とに基づいて、記録媒体の記録可能レートを判定する記録速度判定手段として機能する。なお、記録可能レートにはマージンが含まれており、記録媒体の記録可能レートを超えた状態で動画像データの記録を行っても、正常に画像データを記録できる場合もある。記録可能レートは、確実に動画像データを記録することが可能な記録速度を示している。
【００２９】
ステップＳ３０５では、記録媒体１１６への動画像データの記録を継続するか否かが、例えば記録媒体情報管理部１０５によって判定される。記録媒体情報管理部１０５は、記録媒体１１６への動画像データの記録中に、記録媒体１１６への動画像データの記録を継続するか否かを、記録媒体１１６の温度に応じた所定の情報に基づいて判定する判定手段として機能する。記録媒体情報管理部１０５は、記録可能レートが、予め設定された所定の転送レート以上、即ち、所定の記録速度以上である記録媒体を、動画像データの記録を行ってもよい記録媒体であると判定する。記録媒体情報管理部１０５は、記録可能レートが、予め設定された所定の転送レート未満、即ち、所定の記録速度未満である記録媒体を、動画像データの記録を行うべきでない記録媒体と判定する。上述したように、動画像データの転送レートは、例えば１００ＭＢ／ｓに設定されている。これに対し、記録媒体１１６の内部温度が８９℃である場合における記録媒体１１６の記録可能レートは、例えば８０ＭＢ／ｓである。この場合、記録媒体１１６の記録可能レートは、動画像データの転送レート未満である。このような場合において、記録媒体１１６への動画像データの記録を継続した場合には、動画像データを正常に記録媒体１１６に記録し得ない虞がある。従って、記録媒体１１６の記録可能レートが動画像データの転送レート未満である場合には、記録媒体１１６への動画像データの記録を継続しないと判定され（ステップＳ３０５においてＮＯ）、ステップＳ３０６に移行する。一方、記録媒体１１６の内部温度があまり高くなっておらず、記録媒体１１６の記録可能レートが動画像データの転送レート以上である場合には、記録媒体１１６に動画像データを確実に記録し得る。この場合には、記録媒体１１６への動画像データの記録を継続すると判定され（ステップＳ３０５においてＹＥＳ）、ステップＳ３０２に戻り、記録媒体１１６への動画像データの記録が継続される。
【００３０】
ステップＳ３０６では、記録媒体１１６とは別の記録媒体１１８の温度情報が記録媒体情報管理部１０５によって取得される。ステップＳ３０７では、記録媒体１１８の温度情報に対応する記録媒体１１８の記録可能レートが、管理データ２０２に基づいて記録媒体情報管理部１０５によって検出される。例えば、記録媒体１１８の内部温度が８２℃である場合、図２（ｂ）から分かるように、記録媒体１１８の記録可能レートは２４０ＭＢ／ｓである。
【００３１】
ステップＳ３０８では、記録媒体１１８に動画像データを記録するか否かが、例えば記録媒体情報管理部１０５によって判定される。記録媒体１１８に動画像データを記録するか否かは、記録媒体１１８の記録可能レートが、予め設定された所定の転送レート以上であるか否かによって判定される。上述したように、動画像データの転送レートは、例えば１００ＭＢ／ｓに設定されている。これに対し、内部温度が８２℃である場合における記録媒体１１８の記録可能レートは、例えば２４０ＭＢ／ｓである。この場合、記録媒体１１８の記録可能レートは、動画像データの転送レート以上である。従って、この場合には、記録媒体１１８に動画像データを特に問題なく記録することができる。記録媒体１１８に動画像データを記録すると判定した場合には（ステップＳ３０８においてＹＥＳ）、ステップＳ３０９に移行する。
【００３２】
ステップＳ３０９では、動画像データの記録先が、記録媒体１１６とは別の記録媒体１１８に記録媒体選択部１０３によって切り替えられる。記録媒体選択部１０３は、記録媒体１１６への動画像データの記録を継続しないと記録媒体情報管理部１０５が判定した場合には、所定条件下で、一の記録媒体１１６とは異なる他の記録媒体１１８に動画像データの記録先を切り替える制御手段として機能する。主制御部１０１は、記録媒体１１６に対する動画像データの記録を停止し、記録媒体１１８に対する動画像データの記録を自動的に開始することによって、動画像データの記録が継続されるように、記録媒体制御部１１５、１１７を制御する。この後、ステップＳ３０２に戻る。なお、動画データの記録先を記録媒体１１６から記録媒体１１８に切り替える際には、以下のような処理を行うことが好ましい。即ち、記録媒体１１８に記録される動画像データが、記録媒体１１６に既に記録された動画像データの続きの動画データであるということを示す情報を、動画像管理情報生成部１０４が生成し、かかる情報を記録する。これにより、記録媒体１１６に記録された動画像データと、記録媒体１１８に記録される動画像データとを、動画像データの記録が完了した後に確実につなぎ合わせることが可能となる。記録媒体１１８への動画像データの記録を継続しないと判定した場合には（ステップＳ３０８においてＮＯ）、ステップＳ３１０に移行し、動画像データの記録を停止する。
【００３３】
このように、本実施形態による記録装置は、動画像データを記録中の記録媒体への記録が温度上昇によってできなくなると、動画像データの記録先を他の記録媒体に切り替えて記録を継続する機能、即ち、リレー記録の機能を有している。リレー記録によれば、上述したように、例えば記録媒体１１６への動画像データの記録中に記録媒体１１６の温度が上昇し、所望の書き込み速度での書き込みが困難となった場合、動画像データの記録先を例えば記録媒体１１６から記録媒体１１８に切り替える。そして、記録媒体１１８に対して動画像データの記録を継続する。リレー記録によれば、記録開始の指示から記録停止の指示までの間に、２つの記録媒体１１６、１１８にまたがって動画像データが記録されることとなる。
【００３４】
２つの記録媒体１１６，１１８にまたがって記録される動画像データを後から結合させることを可能とするため、本実施形態では、動画像データとともに付加情報が記録される。ここでは、複数の付加情報が記録される場合を例に説明する。複数の付加情報のうちの第１の付加情報としては、例えばリレー記録情報が挙げられる。リレー記録情報とは、動画像データが２つの記録媒体にまたがって記録されていることを識別するための情報である。図５は、第１の付加情報の例を示す図である。図５に示すように、第１の付加情報５０１の値は例えば３種類である。第１の付加情報５０１の値が例えば０×３０（第１の値）である場合には、リレー記録により記録されたシーンではない、即ち、リレー記録により記録された動画像データではないことを示している。第１の付加情報５０１の値が例えば０×３１（第２の値）の場合には、リレー記録により記録された動画像データであり、且つ、前半のシーンであることを示している。第１の付加情報５０１の値が例えば０×３２（第３の値）の場合には、リレー記録により記録された動画像データであり、且つ、後半のシーンであることを示している。
【００３５】
上記のような第１の付加情報５０１の他に、第２の付加情報６０１も記録される。図６は、第２の付加情報６０１の例を示す図である。図６（ａ）に示すように、第２の付加情報６０１は、複数の項目を含んでいる。第２の付加情報６０１は、例えば、ファイル番号、記録モード、画像記録装置１００の識別情報である機器ＩＤ、動画像データの記録日、動画像データの記録開始のタイムコード、及び、動画像データの記録終了のタイムコードを含む。ファイル番号は、各々の動画像ファイルに付加される情報である。記録モードは、例えば、記録された動画像データのデータ転送レートに関する情報である。記録日は、記録開始時の日付を示している。開始タイムコード、終了タイムコードはそれぞれ、動画像ファイルに格納される動画像データの先頭フレームと最終フレームのタイムコードを示している。本実施形態では、記録された動画像データのフレーム毎に記録開始からの経過時間（フレーム）を示すタイムコード情報を生成して記録する。また、ユーザによる記録開始の指示があった場合、タイムコードの値を００：００：００：００（時：分：秒：フレーム）に設定する。記録する動画像のフレームレートが６０フレーム／秒である場合、タイムコードにおけるフレームの値は０−５９のいずれかとなる。
【００３６】
主制御部１０１は、上記のような第１の付加情報５０１と第２の付加情報６０１とを生成し、例えばＲＡＭ１１４に記憶する。そして、主制御部１０１は、記録媒体制御部１１５，１１７を制御して、第１の付加情報５０１と第２の付加情報６０１とをそれぞれ動画像ファイルに対応づけて記録する。なお、ここでは、第１の付加情報５０１と第２の付加情報６０１とを動画像ファイル内に格納して記録する場合を例に説明したが、これらの付加情報５０１，５０２を動画像ファイルとは別のファイルとして記録するようにしてもよい。
【００３７】
図４は、画像記録装置１００によって記録される動画像ファイルの例を示す図である。図４は、リレー記録が行われた場合に記録される動画像ファイルの例を示している。記録媒体１１６が選択されている状態で記録開始指示によりファイル番号００００１の動画像ファイル４０１が記録される。動画像ファイル４０１の記録中に記録媒体１１６が高温となり、所望の記録速度での記録が困難となった場合、動画像ファイル４０１の記録が停止され、記録先が記録媒体１１８に変更される。そして、ファイル番号００００２の動画像ファイル４０２が記録媒体１１８に記録される。この後、記録停止の指示によって、動画像ファイル４０２の記録が停止される。また、図４のようにリレー記録が行われた場合、動画像ファイル４０１の第１の付加情報５０１の値は０×３１となり、動画像ファイル４０２の第１の付加情報５０１の値は０×３２となる。なお、リレー記録が行われない場合には、動画像ファイルとともに記録される第１の付加情報５０１の値は、０×３０となる。
【００３８】
図７は、リレー記録が行われた場合に各々の動画像ファイル４０１、４０２に記録されるフレームと、各々のフレームのタイムコードとを示す図である。記録媒体１１６が選択された状態で、タイミング７０１において記録開始の指示があった場合、タイムコード値００：００：００：００が先頭のフレームに付加され、記録が開始される。その後、タイミング７０２において、記録先が記録媒体１１６から記録媒体１１８に変更されると、記録媒体１１６に記録された動画像ファイル４０１の最後のフレームにはタイムコード値００：００：１０：１５が付加される。また、記録媒体１１８に記録される動画像ファイル４０２の先頭のフレームにはタイムコード値００：００：１０：１６が付加される。このように、リレー記録時には、動画像ファイル４０１の最後のフレームのタイムコード値と、動画像ファイル４０２の先頭のフレームに付加されるタイムコード値とは連続している。このため、動画像ファイル４０１の最終フレームのタイムコードに１フレームを加算した値が動画像ファイル４０２の先頭フレームのタイムコードである場合、これら２つの動画像ファイルはリレー記録により連続して記録されたものであるということがわかる。その後、タイミング７０３において記録停止の指示があると、動画像ファイル４０２の記録を停止する。図６（ｂ）に示すように、動画像ファイル４０１の第２の付加情報６０２には、開始タイムコード値として００：００：００：００が格納され、終了タイムコード値として００：００：１０：１５が格納される。一方、動画像ファイル４０２の第２の付加情報６０３には、開始タイムコード値として００：００：１０：１６が格納され、終了タイムコード値として００：００：３０：００が格納される。
【００３９】
次に、リレー記録によって記録された２つの動画像ファイルを結合する画像処理装置について説明する。図８は、本実施形態による画像処理装置８００の構成を示すブロック図である。画像処理装置８００は、例えば一般的なパーソナルコンピュータ（ＰＣ）等によって実現可能である。
【００４０】
画像処理装置８００において、ＣＰＵ８０１は記憶部８０３に記憶されたアプリケーションソフトウェアに従って各部を制御する。メモリ８０２は、記憶部８０３に記憶されたソフトウェアのキャッシュメモリや、ＣＰＵ８０１のワークメモリとして機能する。記憶部８０３は、ハードディスクドライブ（ＨＤＤ）やフラッシュメモリドライブ（ＳＳＤ）等の大容量の不揮発メモリを含む。記憶部８０３は、ソフトウェアを記憶する。また、記憶部８０３は、後述するように、記録媒体１１６、１１８から読み出された動画像ファイルや、結合動画像ファイル等を記憶する。表示部８０４は、ユーザによって操作される操作画面等の情報を表示する。操作部８０５は、キーボード、マウス、その他ユーザが操作可能なスイッチ等を含む。記録媒体インターフェイス（ＩＦ）８０６は、記録媒体１１６，１１８を装着可能な装着部を備え、装着された記録媒体１１６，１１８から動画像ファイルや各種のデータを読み出し、また、記録媒体１１６，１１８に動画像ファイル等を書き込む。記録媒体ＩＦ７０６は、記録媒体１１６と記録媒体１１８とが装着される２つの装着部を備えている。従って、画像処理装置８００に対し、記録媒体１１６と記録媒体１１８を同時に装着可能である。バス８０７は各部の間でデータ等を送受信する。
【００４１】
図９及び図１０は、画像処理装置８００によって行われる動画像ファイルの結合処理を示すフローチャートである。図９及び図１０に示す処理は、例えばＣＰＵ８０１によって実行される。ステップＳ９０１では、記録媒体ＩＦ８０６に２つの記録媒体１１６，１１８を装着することをユーザに指示するための画面が表示部８０４に表示される。記録媒体ＩＦ８０６に２つの記録媒体１１６、１１８が装着されたことが検出されない場合には（ステップＳ９０２においてＮＯ）、２つの記録媒体１１６，１１８が装着されるのを待つ。記録媒体ＩＦ８０６に２つの記録媒体１１６、１１８が装着されたことが検出された場合には（ステップＳ９０２においてＹＥＳ）、ステップＳ９０３に移行する。ステップＳ９０３では、ＣＰＵ８０１は、リレー記録によって２つの記録媒体１１６，１１８に連続して記録された動画像ファイルを検出する。
【００４２】
図１０は、ステップＳ９０３における検出処理を示すフローチャートである。ステップＳ１００１では、ＣＰＵ８０１は、２つの記録媒体１１６，１１８から記録媒体ＩＦ８０６を介して、全ての動画像ファイルの第１の付加情報５０１、即ち、リレー記録情報を読み出し、読み出した第１の付加情報５０１を記憶部８０３に記憶する。そして、第１の付加情報５０１の値に基づいて、２つの記録媒体１１６，１１８に記録された動画像ファイルから、前半シーンの動画像ファイルを検出し、その数Ｎ１を検出する（ステップＳ１００２）。上述したように、第１の付加情報５０１の値が例えば０×３１である場合には、前半シーンの動画像ファイルであることを示している。次に、ＣＰＵ８０１は、２つの記録媒体１１６，１１８に記録された動画像ファイルから、後半シーンの動画像ファイルを検出し、その数Ｎ２を検出する（ステップＳ１００３）。上述したように、第１の付加情報５０１の値が例えば０×３２である場合には、後半シーンの動画像ファイルであることを示している。
【００４３】
次に、ＣＰＵ８０１は、検出された数Ｎ１、Ｎ２がそれぞれ０より大きいか否かを判別する（ステップＳ１００４）。即ち、２つの記録媒体１１６，１１８に、前半シーンの動画像ファイルと後半シーンの動画像ファイルとがそれぞれ少なくとも１つずつ記録されているか否かを判定する。判定の結果、前半シーンの動画像ファイルと後半シーンの動画像ファイルの少なくともいずれかが１つも記録されていなかった場合には（ステップＳ１００４においてＮＯ）、処理を終了する。
【００４４】
前半シーンの動画像ファイルと後半シーンの動画像ファイルとがともに１つ以上記録されていた場合には（ステップＳ１００４においてＹＥＳ）、ＣＰＵ８０１は、まず、検出された前半シーンの動画像ファイルのうちの１つを選択する（ステップＳ１００５）。そして、第２の付加情報６０２，６０３に基づいて、選択した前半シーンの動画像ファイルに連続する後半シーンの動画像ファイルを検出する（ステップＳ１００６）。具体的には、ＣＰＵ８０１は、選択された前半シーンの第２の付加情報６０２と、全ての後半シーンの動画像ファイルの第２の付加情報６０３とに基づいて、これらの第２の付加情報６０２，６０３が以下の条件１〜４を満たすか否かを確認する。
条件１：記録モードが同じであること。
条件２：記録機器が同じであること。
条件３：前半シーンの動画像ファイルの記録日と、後半シーンの動画像ファイルの記録日の差が１日以内であること。
条件４：前半シーンの動画像ファイルの終了タイムコード値を１フレーム分進めた値が後半シーンの動画像ファイルの開始タイムコードと一致すること。
ＣＰＵ８０１は、これらの条件１〜４を全て満たす場合には、２つの動画像ファイルがリレー記録により連続して記録されたものであると決定する。このように、リレー記録によって連続して記録された動画像ファイルがあった場合には（ステップＳ１００７においてＹＥＳ）、ＣＰＵ８０１は、以下のような処理を行う。即ち、ＣＰＵ８０１は、前半シーンの動画像ファイルのファイル番号と、後半シーンの動画像ファイルのファイル番号とを記憶部８０３に記憶する（ステップＳ１００８）。一方、連続する後半シーンの動画像ファイルがない場合には（ステップＳ１００７においてＮＯ）、ステップＳ１００９に進む。
【００４５】
ステップＳ１００９では、ＣＰＵ８０１は、残りの前半シーンの動画像ファイルがあるか否かを確認し、残りの前半シーンの動画像ファイルがない場合には（ステップＳ１００９においてＮＯ）、処理を終了する。一方、残りの前半シーンの動画像ファイルがある場合には（ステップＳ１００９においてＹＥＳ）、ＣＰＵ８０１は、次の前半シーンの動画像ファイルを選択し（ステップＳ１０１０）、ステップＳ１００６に戻って処理を続ける。
【００４６】
図９の処理に戻り、ＣＰＵ８０１は、リレー記録によって２つの記録媒体１１６，１１８に連続して記録された動画像ファイルがあるか否かを、ステップＳ９０３の処理の結果に基づいて判別する（ステップＳ９０４）。連続して記録された動画像ファイルがあった場合には（ステップＳ９０４においてＹＥＳ）、ＣＰＵ８０１は、記録媒体ＩＦ８０６に対し、ステップＳ１００８において記憶されたファイル番号の動画像ファイルを読み出すように指示する（Ｓ９０５）。記録媒体ＩＦ８０６は、ＣＰＵ８０１より指定された動画像ファイルを記録媒体１１６，１１８から読み出し、記憶部８０３に記憶する。そして、ＣＰＵ８０１は、記憶部８０３に記憶された、前半シーンの動画像ファイルと後半シーンの動画像ファイルとを結合し、結合動画像ファイルを生成して記憶部８０３に記憶する。この際、前半シーンの動画像ファイルの後に後半シーンの動画像ファイルを結合する。なお、ここでの動画像ファイルの結合処理は、バイナリレベルでの単純な結合でよい。
【００４７】
一方、リレー記録によって２つの記録媒体１１６，１１８に連続して記録された動画像ファイルがない場合には（ステップＳ９０４においてＮＯ）、ＣＰＵ８０１は、結合できるファイルが見つからないことを表示部８０４に表示する（ステップＳ９０７）。
【００４８】
このように、２つの記録媒体１１６，１１８にまたがって連続的に記録された２つの動画像ファイル４０１，４０２が付加情報に基づいて検出して結合される。このため、複数の記録媒体１１６，１１８に分割されて記録された一連の動画像が１つに結合された動画像ファイルを得ることができる。
【００４９】
なお、本実施形態では、記録媒体ＩＦ７０６が２つの装着部を備え、これらの装着部に記録媒体１１６，１１８を装着する場合を例に説明したが、これに限定されるものではない。例えば、画像処理装置８００が公知のＵＳＢの通信部を備えていてもよい。そして、ＵＳＢによってメモリカードリーダ等を接続し、このカードリーダに記録媒体１１６、１１８が装着される構成であってもよい。或いは、図１の画像記録装置１００にもＵＳＢの通信部を備える構成としてもよい。そして、画像記録装置１００に２つの記録媒体１１６，１１８を装着した状態で画像記録装置１００と画像処理装置７００とをＵＳＢにより接続し、画像処理装置７００が画像記録装置１００を制御して図８及び図９に示すような処理を行ってもよい。
【００５０】
また、ここでは、画像記録装置１００と画像処理装置８００とを別々の構成としたが、これに限定されるものではない。例えば、画像記録装置１００が画像処理装置８００の構成を備えていてもよい。また、タイムコードの他、フレーム毎に所定数ずつ値が増加する情報、例えば、先頭からのフレーム数を示す情報などを第２の付加情報６０１の項目として記録するようにしてもよい。そして、条件４として、タイムコードの値に代えて、フレーム数の情報を用いるようにしてもよい。
【００５１】
このように、本実施形態によれば、複数の記録媒体のうちの一の記録媒体への動画像データの記録中に、当該一の記録媒体への動画像データの記録を継続するか否かを、当該一の記録媒体の温度に応じた所定の情報に基づいて判定する。そして、当該一の記録媒体への動画像データの記録を継続しないと判定した場合には、当該一の記録媒体とは異なる他の記録媒体に動画像データの記録先を切り替える。このため、本実施形態によれば、動画像データを確実に記録し得る画像記録装置を提供することができる。
【００５２】
［第２実施形態］
第２実施形態による画像記録装置について図１１乃至図１３を用いて説明する。図１１は、本実施例形態による画像記録装置の構成を示すブロック図である。本実施形態による画像記録装置では、第１実施形態による画像記録装置に対して、記録媒体制御部１１０１が更に追加されており、記録媒体１１０２にも動画像データの記録が可能となっている。記録媒体１１０２は、当該記録媒体１１０２の内部の温度についての情報、即ち、温度情報を生成する温度情報生成部１１０２ａを備えている。温度情報生成部１１０２ａとしては、温度情報生成部１１６ａ、１１８ａと同様に、例えば温度センサＩＣ等を用いることができる。
【００５３】
図１３は、記録媒体における温度に対応した記録可能レートを示す管理データを示す図である。図１３に示す管理データ１３０１は、記録媒体１１０２における温度に対応した記録可能レートを示している。記録媒体１１０２の温度に対応する記録レートの上限、即ち、記録可能レートが、予め定められている。記録媒体情報管理部１０５は、記録媒体１１６，１１８，１１０２における温度に対応した記録可能レートをそれぞれ示す管理データ２０１，２０２，１３０１を保持している。記録媒体情報管理部１０５は、画像記録装置１００に装着された記録媒体１１６，１１８、１１０２の種別を検出し、検出結果に基づいて当該記録媒体１１６，１１８、１１０２用の管理データ２０１，２０２，１３０１を決定する。
【００５４】
図１２は、本実施形態による画像記録装置の動作を示すフローチャートである。ここでは、動画像データの記録先として記録媒体１１６がユーザによって選択された場合を例に説明する。
【００５５】
まず、ステップＳ３０１からステップＳ３０５までは、図３を用いて上述した第１実施形態による画像記録装置の動作と同様であるため、説明を省略する。記録媒体１１６への動画像データの記録を継続しないと判定した場合には（ステップＳ３０５においてＮＯ）、ステップＳ１２０１に移行する。記録媒体１１６への動画像データの記録を継続すると判定した場合には（ステップＳ３０５においてＹＥＳ）、ステップＳ３０２に戻る。
【００５６】
ステップＳ１２０１では、記録媒体１１６とは別の全ての記録媒体１１８，１１０２の温度情報を取得する。ここでは、記録媒体１１８の温度が例えば８２℃であり、記録媒体１１０２の温度が例えば７８℃である場合を例に説明する。
【００５７】
ステップＳ１２０２では、動画像データを記録中の記録媒体１１６以外の全ての記録媒体１１８，１１０２の記録可能レートを検出する。記録媒体１１８，１１０２における温度に対応した記録可能レートをそれぞれ示す管理データ２０２，１３０１は、上述したように、記録媒体情報管理部１０５において保持されている。記録媒体１１８の温度が８２℃である場合、図２（ｂ）から分かるように、記録媒体１１８における記録可能レートは例えば２４０ＭＢ／ｓである。記録媒体１１０２の温度が７８℃である場合、図６から分かるように、記録媒体１１０２における記録可能レートは例えば２５０ＭＢ／ｓである。
【００５８】
ステップＳ１２０３では、最も記録可能レートが高い記録媒体を決定する。ここでは、記録可能レートが最も高い記録媒体が記録媒体１１０２である場合を例に説明する。最も記録可能レートが高い記録媒体として、例えば記録媒体１１０２が決定される。ステップＳ１２０４では、ステップＳ１２０３において決定された記録媒体１１０２に動画像データを記録するか否か例えば記録媒体情報管理部１０５によって判定される。記録媒体１１０２に動画像データを記録するか否かは、記録媒体１１０２の記録可能レートが、予め設定された所定の転送レート以上であるか否かによって判定される。上述したように、動画像データの転送レートは、例えば１００ＭＢ／ｓに設定されている。これに対し、上述したように、記録媒体１１０２における記録可能レートは例えば２５０ＭＢ／ｓである。この場合、記録媒体１１０２の記録可能レートは、動画像データの転送レート以上である。従って、この場合には、記録媒体１１０２に動画像データを特に問題なく記録することができる。記録媒体１１０２に動画像データを記録すると判定した場合には（ステップＳ１２０４においてＹＥＳ）、ステップＳ３０９に移行する。ステップＳ３０９では、動画像データの記録先が記録媒体１１６から記録媒体１１０２に記録媒体選択部１０３によって切り替えられる。このように、記録媒体選択部１０３は、記録速度の上限が最も高い記録媒体に動画像データの記録先を切り替える制御手段として機能する。この後、ステップＳ３０２に戻る。記録媒体１１０２に動画像データを記録しないと判定した場合には（ステップＳ１２０４においてＮＯ）、ステップＳ３１０に移行する。ステップＳ３１０は、第１実施形態におけるステップＳ３１０と同様であるため、説明を省略する。
【００５９】
このように、記録媒体１１６，１１８，１１０２が３つであってもよい。本実施形態では、複数の記録媒体のうちの一の記録媒体への動画像データの記録中に、当該一の記録媒体への動画像データの記録を継続するか否かを、当該一の記録媒体の温度に応じた所定の情報に基づいて判定する。そして、当該一の記録媒体への動画像データの記録を継続しないと判定した場合には、複数の他の記録媒体のうちの記録速度の上限が最も高い記録媒体に動画像データの記録先を切り替える。このため、本実施形態によっても、動画像データを確実に記録し得る画像記録装置を提供することができる。
【００６０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６１】
［変形実施形態］
上記実施形態に限らず種々の変形が可能である。
例えば、上記実施形態では、ステップＳ３０５の処理の後に記録媒体１１８の温度情報を取得する場合を例に説明したが、これに限定されるものではない。例えば、記録媒体１１６への動画像データの記録中に、記録媒体１１８の温度情報を定期的に取得するようにしてもよい。
【００６２】
また、上記実施形態では、記録媒体１１６が動画像データの記録先としてユーザによって予め選択された場合を例に説明したが、動画データの記録先としてユーザによって予め選択される記録媒体は、記録媒体１１６に限定されるものではない。第１実施形態の場合、記録媒体１１８が動画像データの記録先としてユーザによって予め選択されてもよい。この場合、ステップＳ３０９において、記録媒体１１８から記録媒体１１６に動画像データの記録先が変更されることとなる。第２実施形態の場合、記録媒体１１８又は記録媒体１１０２が動画像データの記録先として予め選択されてもよい。第２実施形態において、記録媒体１１８が動画像データの記録先として予め選択された場合には、ステップＳ３０９において、記録媒体１１６と記録媒体１１０２とのうちの最も記録可能レートが高い記録媒体に動画像データの記録先が変更される。第２実施形態において、記録媒体１１０２が動画像データの記録先として予め選択された場合には、ステップＳ３０９において、記録媒体１１６と記録媒体１１８とのうちの最も記録可能レートが高い記録媒体に動画像データの記録先が変更される。
また、第２実施形態では、記録媒体の数が３つである場合を例に説明したが、記録媒体の数を４つ以上にしてもよい。
【００６３】
また、第２実施形態では、最も記録可能レートが高い記録媒体に画像データの記録先を切り替える場合を例に説明したが、これに限定されるものではない。例えば、２番目に記録可能レートが高い記録媒体の記録可能レートが予め設定された転送レート以上である場合には、当該記録媒体に動画像の記録先を切り替えることも可能である。
【００６４】
また、上記実施形態では、温度情報生成部１１６ａ、１１８ａ、１２０２ａとして、温度センサＩＣを用いる場合を例に説明したが、これに限定されるものではない。温度情報生成部１１６ａ、１１８ａとして、温度スイッチＩＣ等を用いてもよい。温度スイッチＩＣは、半導体温度センサを内蔵しており、温度の検出を行うスイッチＩＣである。常温から設定された検出温度に達すると出力が反転し、解除温度まで下がると出力が元に戻る。温度スイッチＩＣによって温度情報生成部１１６ａ、１１８ａ、１２０２ａを構成する場合には、温度情報生成部１１６ａ、１１８ａ、１２０２ａから出力される信号は二値となる。温度情報生成部１１６ａ、１１８ａ、１２０２ａから出力される信号が反転していない場合には、対応する記録媒体１１６、１１８、１１０２への所定の転送レートでの書き込みが可能であると判定される。一方、温度情報生成部１１６ａ、１１８ａ、１２０２ａから出力される信号が反転した場合には、対応する記録媒体１１６、１１８、１１０２への所定の転送レートでの書き込みが可能であると判定される。
【００６５】
また、上記実施形態では、記録媒体１１６，１１８、１１０２において温度情報が生成され、かかる温度情報が記録媒体１１６，１１８、１１０２から読み出される場合を例に説明したが、これに限定されるものではない。例えば、記録媒体１１６、１１８、１１０２において、温度に応じた情報が生成され、温度に応じた当該情報が記録媒体１１６、１１８、１１０２から読み出されるようにしてもよい。温度に応じた情報としては、例えば、記録媒体１１６、１１８、１１０２の記録可能レートを示す情報が挙げられる。即ち、記録媒体１１６、１１８、１１０２の温度に応じた記録可能レートが当該記録媒体１１６、１１８、１１０２側において生成され、生成された記録可能レートが当該記録媒体１１６、１１８、１１０２から読み出されるようにしてもよい。この場合、温度を測定する機能と、温度に応じた記録可能レートを算出する機能とを兼ね備えた情報生成部１１６ａ、１１８ａ、１２０１ａが記録媒体１１６、１１８、１１０２に設けられる。かかる情報生成部１１６ａ、１１８ａ、１２０１ａは、例えばセンサ機能とメモリ機能と演算機能とを有する多機能ＩＣによって構成することが可能である。この場合、記録媒体１１６、１１８、１１０２における温度に対応した記録可能レートをそれぞれ示す管理データ２０１、２０２、１３０１は、例えば情報生成部１１６ａ、１１８ａ、１２０１ａにそれぞれ保持される。かかる情報生成部１１６ａ、１１８ａ、１２０１ａは、記録媒体１１６，１１８、１１０２の内部の温度に応じた記録可能レートについての情報を生成する。
【００６６】
また、上記実施形態では、記録媒体１１６，１１８、１１０２の内部の温度情報を用いる場合を例に説明したが、これに限定されるものではない。例えば、記録媒体１１６，１１８、１１０２の表面の温度を温度情報として用いることも可能である。この場合、記録媒体１１６，１１８、１１０２の表面の温度を測定する温度センサを、記録媒体１１６，１１８、１１０２と別個に設け、当該温度センサからの出力を用いればよい。
【００６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１０１…主制御部
１１６ａ、１１８ａ、１１０２ａ…情報生成部
１１９…バスライン
１２０…処理部
２０１、２０２、１３０１…管理データ
８００…画像処理装置
【図１】
0006669392.tif 000002
【図２】
0006669392.tif 000003
【図３】
0006669392.tif 000004
【図４】
0006669392.tif 000005
【図５】
0006669392.tif 000006
【図６】
0006669392.tif 000007
【図７】
0006669392.tif 000008
【図８】
0006669392.tif 000009
【図９】
0006669392.tif 000010
【図１０】
0006669392.tif 000011
【図１１】
0006669392.tif 000012
【図１２】
0006669392.tif 000013
【図１３】
0006669392.tif 000014